(57)【要約】  本発明は、スタッカ装置（１）と、リクレーマ装置（３）と、スタッカ装置走行レール（５）と、リクレーマ装置走行レールと、材料送入輸送機（２）と、材料送出輸送機（１１）と、材料堆積場（１０）と、閉鎖式材料保管バラック（９）とを含み、前記スタッカ装置（１）及び材料送入輸送機（２）はリクレーマ装置（３）の内側に位置し、リクレーマ装置（３）はスタッカ装置（１）及び材料送入輸送機（２）の上部を跨ぐスタッカ・リクレーマ装置の配置構造を提供する。本発明のスタッカ装置（１）及び材料送入輸送機（２）はリクレーマ装置（３）の内側空間を通る。リクレーマ装置のフレームがスタッカ装置の上部を跨ぐ配置によって、スタッカ装置（１）とリクレーマ装置の上部走行プラットホームとが同じ高さにある時の干渉問題を解決することができる。リクレーマ装置の上部走行プラットホームを単独に設置する必要がないので、走行装置の点検とメンテナンスが便利になる。また、従来の貯蔵配置形式ではリクレーマ装置の上部走行プラットホームを避けるために生じていた材料堆積容積の損失を回避することができ、堆積場内部の空間利用率が向上し、建築作業量が低減するため、経済的利益が明らかであり、技術適用価値が大きい。【選択図】      図２
2018521923.tif 000002
【特許請求の範囲】
【請求項１】
スタッカ装置と、リクレーマ装置と、スタッカ装置走行レールと、リクレーマ装置走行レールと、材料送入輸送機と、材料送出輸送機と、材料堆積場と、閉鎖式材料保管バラックとを含み、前記スタッカ装置及び材料送入輸送機はリクレーマ装置の内側に位置し、リクレーマ装置はスタッカ装置と材料送入輸送機との上方を跨ぐことを特徴とするスタッカ・リクレーマ装置の配置構造。
【請求項２】
前記リクレーマ装置の走行レールは、リクレーマ装置の上部走行レールとリクレーマ装置の下部走行レールを含み、前記リクレーマ装置の上部走行レールとスタッカ装置の走行レールとは、同一プラットホーム上に設置されるか、または、上下２つのプラットホーム上にそれぞれ設置されることを特徴とする請求項１に記載のスタッカ・リクレーマ装置の配置構造。
【請求項３】
前記スタッカ装置の走行レールは少なくとも２セット設置され、スタッカ装置はスタッカ装置の走行レール上に設置され、各スタッカ装置にはそれぞれ１つの材料送入輸送機が設置され、リクレーマ装置の上部走行レールはスタッカ装置の走行レールの間に設置され、前記リクレーマ装置は同一側に設置されたスタッカ装置と材料送入輸送機とを跨ぐことを特徴とする請求項２に記載のスタッカ・リクレーマ装置の配置構造。
【請求項４】
前記リクレーマ装置のメインフレームはスタッカ装置と材料送入輸送機とを跨ぎ、当該メインフレームの上端と下端とはそれぞれリクレーマ装置の上部走行レールとリクレーマ装置の下部走行レールとに支えられることを特徴とする請求項２に記載のスタッカ・リクレーマ装置の配置構造。
【請求項５】
前記メインフレームは連続的に連結された縦フレームとアーチフレームと傾斜フレームとを含み、前記縦フレームはリクレーマ装置の上部走行レールに支えられ、前記アーチフレームはスタッカ装置と材料送入輸送機との上方を跨ぎ、前記傾斜フレームはリクレーマ装置の下部走行レールに支えられることを特徴とする請求項４に記載のスタッカ・リクレーマ装置の配置構造。
【請求項６】
前記メインフレームはアーチ形又は逆Ｕ字形であることを特徴とする請求項５に記載のスタッカ・リクレーマ装置の配置構造。
【請求項７】
前記リクレーマ装置の下部走行レールと材料送出輸送機とは、材料堆積場の脇側に設置されることを特徴とする請求項２に記載のスタッカ・リクレーマ装置の配置構造。
【請求項８】
前記閉鎖式材料保管バラックは壁面で完全閉鎖されるか、または、開口率のある防風壁、防風板及び防風網を用いて閉鎖されることを特徴とする請求項１に記載のスタッカ・リクレーマ装置の配置構造。
【請求項９】
さらに、給電・照明システム、粉塵抑制システム、消防システム、通風換気システム、採光・暖房システム及び給排水補助システムを含むことを特徴とする請求項１に記載のスタッカ・リクレーマ装置の配置構造。 
【発明の詳細な説明】
【技術分野】
【０００１】
本発明はバルク材料の貯蔵及び輸送施設の分野に関するもので、具体的にはスタッカ・リクレーマ装置の配置構造に関するものである。
【背景技術】
【０００２】
従来のスタッカ・リクレーマ装置の配置構造においては、スタッカ装置とリクレーマ装置間の交差干渉現象を避けるために、スタッカ装置をリクレーマ装置の外側に設け、リクレーマ装置の上部の走行プラットホームは通常別に設置されるため、建築作業量が増加すし、また、リクレーマ装置の上部走行プラットホームとその支持構造の耐荷重性が十分でなく、走行スペースが狭く、走行装置のメンテナンスが難しくなる。また、材料堆積時は、リクレーマ装置の上部走行プラットホームを避けるために、堆積できる高さが制限を受け、堆積場内の空間を十分に利用することができない。
【発明の概要】
【発明が解決しようとする課題】
【０００３】
上記従来技術に存在する問題に鑑みて、本発明は、スタッカ装置の走行プラットホームとリクレーマ装置の上部走行プラットホームとが同じ高さである時の干渉問題を解決する、スタッカ・リクレーマ装置の配置構造を提供することを目的とする。
【課題を解決するための手段】
【０００４】
上記目的を達成するために、本発明は、スタッカ装置、リクレーマ装置、スタッカ装置走行レール、リクレーマ装置走行レール、材料送入輸送機、材料送出輸送機、材料堆積場、閉鎖式材料保管バラックを含み、前記スタッカ装置と材料送入輸送機とはリクレーマ装置の内側に位置し、リクレーマ装置はスタッカ装置と材料送入輸送機との上方を跨ぐ、スタッカ・リクレーマ装置の配置構造を提供する。
【０００５】
上記構造を適用すれば、リクレーマ装置がスタッカ装置と材料送入輸送機との上方を跨るので、スタッカ装置とリクレーマ装置との走行中の交差干渉が避けられ、走行空間を大きくでき、リクレーマ装置の上部走行プラットホームとそのサポート構造の荷重受け合理性が向上し、リクレーマ装置の走行装置のメンテナンスがより便利になり、既存の配置構造でリクレーマ装置の上部走行プラットホームを避けるため生じていた材料堆積容積の損失を回避することができ、堆積場内の空間利用率が向上し、建築作業量が低減する。
【０００６】
好ましくは、リクレーマ装置の走行レールは、リクレーマ装置の上部走行レールとリクレーマ装置の下部走行レールとを含み、リクレーマ装置の上部走行レールとスタッカ装置の走行レールは同一プラットホーム上、または、上下２つのプラットホーム上にそれぞれ設置されるとよい。リクレーマ装置の上部走行レールの高さとスタッカ装置の走行レールの高さは同一でも異なってもよい。
【０００７】
好ましくは、少なくとも２セットのスタッカ装置の走行レールが設けられており、スタッカ装置はスタッカ装置の走行レール上に設置され、それぞれのスタッカ装置には１つの材料送入輸送機が設置され、リクレーマ装置の上部走行レールはスタッカ装置の上部走行レールの間に設置され、前記リクレーマ装置は同一側に設置されたスタッカ装置と材料送入輸送機とを跨ぐとよい。
【０００８】
好ましくは、リクレーマ装置のメインフレームはスタッカ装置と材料送入輸送機とを跨ぎ、メインフレームの上端と下端とはそれぞれリクレーマ装置の上部走行レールとリクレーマ装置の下部走行レールとに支えられるとよい。
【０００９】
好ましくは、メインフレームは連続的に連結された縦フレームとアーチフレームと傾斜フレームとを含み、縦フレームはリクレーマ装置の上部走行レールに支えられ、アーチフレームはスタッカ装置と材料送入輸送機との上方を跨ぎ、傾斜フレームはリクレーマ装置の下部走行レールに支えられるとよい。
【００１０】
好ましくは、メインフレームはアーチ形又は逆Ｕ字形であるとよい。
【００１１】
好ましくは、リクレーマ装置の下部走行レールと材料送出輸送機とは、材料堆積場の脇側に設置されるとよい。
【００１２】
好ましくは、閉鎖式材料保管バラックは、壁面で完全閉鎖されるか、または、開口率を有する防風壁、防風板及び防風網を用いて閉鎖されるのがよい。
【００１３】
好ましくは、スタッカ・リクレーマ装置の配置構造は、さらに、給電・照明システム、粉塵抑制システム、消防システム、通風換気システム、採光・暖房システム及び給排水補助システムをも含むのがよい。
【発明の効果】
【００１４】
上記のように、本発明は、以下の効果を奏する。
【００１５】
１．本発明は、スタッカ装置がリクレーマ装置の上部走行レールの支持プラットホームと同じ高さである時の干渉問題を解決することができ、リクレーマ装置の上部走行レールの支持プラットホームを単独で設置する必要がなく、リクレーマ装置の上部走行レールの支持プラットホーム及び支持構造の荷重受け性能の合理性が向上し、建築作業量を低減することができ、投資を減らすことができる。
【００１６】
２．本発明は、既存の貯蔵配置で、材料堆積中にリクレーマ装置の上部走行レールを避けるために生じていた材料堆積容積の損失を回避することができ、材料堆積場内部の空間利用率が著しく向上する。
【００１７】
３．本発明は、リクレーマ装置の上部走行装置の点検・メンテナンス用の空間を大きくし、点検・メンテナンスを容易にする。
【図面の簡単な説明】
【００１８】
【図１】従来のスタッカ・リクレーマシステムの模式図である。
【図２】本発明実施例１の正面図である。
【図３】図２の平面図である。
【図４】実施例１のＰの部分拡大図である。
【図５】従来のスタッカ・リクレーマシステムと本発明実施例１によって、同じパラメータを用いて形成された山積み断面の比較図である。
【図６】本発明実施例２の模式図である。
【図７】本発明実施例３の模式図である。
【発明を実施するための形態】
【００１９】
以下、具体的な実施例によって本発明の実施形態について説明するが、この技術分野の当業者であれば、本明細書に掲載された内容から、本発明によるその他の利点と効果を容易に理解することができる。
【００２０】
図１に示すとおり、従来のスタッカ・リクレーマ装置の配置構造では、スタッカ・リクレーマ装置間の交差干渉現象を回避するために、スタッカ装置１をリクレーマ装置３の外側に設置し、リクレーマ装置の上部走行プラットホーム７をスタッカ装置の走行プラットホーム６の下方に別に設置することによって、建築作業量が増大する一方、リクレーマ装置の上部走行プラットホーム７のスペースが狭くなり、走行装置のメンテナンスが難しくなる。また、リクレーマ装置の上部走行プラットホーム７を避けるために、材料を堆積できる高さが制限を受け、堆積場内の空間を十分に利用することができない。
【実施例１】
【００２１】
図２〜図４に示すとおり、本発明によって提供されるスタッカ・リクレーマ装置の配置構造は、スタッカ装置１と、リクレーマ装置３と、スタッカ装置の走行レール５と、リクレーマ装置走行レールと、材料送入輸送機２と、材料送出輸送機１１と、材料堆積場１０と、閉鎖式材料保管バラック９とを含む。リクレーマ装置走行レールは、リクレーマ装置の上部走行レール４とリクレーマ装置の下部走行レールとを含む。本実施例のリクレーマ装置の上部走行レール４とスタッカ装置の走行レール５は、同一プラットホーム上に設置されている。すなわち、スタッカ装置の走行プラットホーム６とリクレーマ装置の上部走行プラットホーム７とは同一プラットホーム上に設置され、リクレーマ装置の下部走行レールと材料送出輸送機１１とは堆積場１０の脇側に設置されている。
【００２２】
左右２セットのスタッカ装置の走行レール５が配置されており、スタッカ装置１はスタッカ装置の走行レール５上に設置され、それぞれのスタッカ装置１には１つの材料送入輸送機２が設置され、リクレーマ装置の上部走行レール４は２つのリクレーマ装置の走行レール５の間に設置され、リクレーマ装置３は同一側に設置されたスタッカ装置１と材料送入輸送機２とを跨いでいる。スタッカ装置１及び材料送入輸送機２はリクレーマ装置３の内側に設置されている。
【００２３】
リクレーマ装置３のメインフレーム８はスタッカ装置１及び材料送入輸送機２を跨ぎ、メインフレーム８は連続的に連結された縦フレームとアーチフレームと傾斜フレームとを含み、縦フレームはリクレーマ装置の上部走行レール４に支えられ、アーチフレームはスタッカ装置１と材料送入輸送機２との上方を跨ぎ、傾斜フレームはリクレーマ装置の下部走行レールに支えられている。メインフレーム８は、スタッカ装置１と材料送入輸送機２の上方を跨ぎ、堆積時に干渉しない限り、他の実施例において、アーチ形又は逆Ｕ形にすることができる。
【００２４】
閉鎖式材料保管バラック９は、壁面によって完全閉鎖されているか、または、開口率を有する防風壁、防風板及び防風網を用いて閉鎖されている。また、スタッカ・リクレーマ装置の配置構造は、さらに、給電・照明システム、粉塵抑制システム、消防システム、通風換気システム、採光・暖房システム、給排水補助システムも含むが、これらは従来技術であるため、ここでは繰り返さない。
【００２５】
場内の配置構造を変えることによって、スタッカ装置１とスタッカ装置の走行レール５とを１セットだけ設置することもできる。また、それに対応するように、リクレーマ装置３とリクレーマ装置の上部走行レール４を１セット設置することができ、リクレーマ装置３はスタッカ装置１とスタッカ装置の走行レール５の上方を跨ぐ。
【００２６】
図５を見ると、同じ技術工程でも、本発明を使用することによって、従来の貯蔵配置形式ではリクレーマ装置の上部走行プラットホームを避けるために生じていた材料堆積容積の損失を回避することができ、堆積場内部の空間利用率を著しく向上することができることがわかる。
【実施例２】
【００２７】
図６に示すとおり、本実施例と実施例１との相違点は、以下のとおりである。スタッカとリクレーマのルート数が増えている。スタッカ装置の走行レール５のルート数が３本に増え、リクレーマ装置の上部走行レール４は隣接する２つのスタッカ装置の走行レール５の間に位置し、２つのリクレーマ装置３はそれぞれ同一側に設置されたスタッカ装置１とスタッカ装置の走行レール５とを跨いでいる。
【実施例３】
【００２８】
図７に示すとおり、本実施例と実施例２との相違点は、以下のとおりである。リクレーマ装置の上部走行レール４とスタッカ装置の走行レール５とが異なる高さのプラットホーム上に据え付けられ、リクレーマ装置の上部走行プラットホーム７の高さはスタッカ装置の走行プラットホーム６の高さより高い。この配置構造でも、スタッカ装置１とリクレーマ装置３と交差干渉を避けることができ、堆積場内部空間の利用率を向上させることができる。
【００２９】
当業者であれば、本発明の精神と範囲から逸脱することなく、上記実施例に対する修飾又は変更することがでる。したがって、当該技術分野における通常の知識を有する者が、本発明で示された精神と技術思想から逸脱することなく完成したあらゆる均等の修飾又は変更は、依然として本発明の特許請求の範囲に含まれる。
【符号の説明】
【００３０】
１．スタッカ装置
２．材料送入輸送機
３．リクレーマ装置
４．リクレーマ装置の上部走行レール
５．スタッカ装置の走行レール
６．スタッカ装置の走行プラットホーム
７．リクレーマ装置の上部走行プラットホーム
８．メインフレーム
９．閉鎖式材料保管バラック
１０．材料堆積場
１１．材料送出輸送機
【図１】
2018521923.tif 000003
【図２】
2018521923.tif 000004
【図３】
2018521923.tif 000005
【図４】
2018521923.tif 000006
【図５】
2018521923.tif 000007
【図６】
2018521923.tif 000008
【図７】
2018521923.tif 000009
【国際調査報告】
2018521923.tif 000010
2018521923.tif 000011
2018521923.tif 000012
2018521923.tif 000013
2018521923.tif 000014
2018521923.tif 000015